(57)【要約】【課題】  プレー中でのボールマーカー取付用の台座並びにボールマーカーの紛失を防止し得、またボールマーカーの、台座への取り付けをもう少し容易にならしめ、かつ外観的にも良好なボールマーカー着脱機能付きのゴルフ用帽子（１０）を提供すること。【解決手段】  鍔（１２）の左右少なくともどちらか一方の縁部に板状の強力磁性体（１４）が埋設され、ゴルフで用いるボールマーカー（Ｍ）の着脱を容易ならしめたゴルフ用帽子（１０）。【選択図】  図１
0003111834.tif 000002
【実用新案登録請求の範囲】
【請求項１】
ボールマーカーを自在に着脱することのできる機能を具備したゴルフ用帽子であって、
つばの左右少なくともどちらか一方の縁部に板状の磁性体が埋設され、ゴルフで用いるボールマーカーの着脱を容易ならしめたことを特徴とするボールマーカー着脱機能付きゴルフグッズ。
【請求項２】
ボールマーカーを自在に着脱することのできる機能を具備したゴルフ用手袋であって、
生地中に板状の磁性体が埋設され、ゴルフのボールマーカーの着脱を容易ならしめたことを特徴とするボールマーカー着脱機能付きゴルフグッズ。
【請求項３】
ボールマーカーを自在に着脱することのできる機能を具備したゴルフシューズであって、
生地中に板状の磁性体が埋設され、ゴルフのボールマーカーの着脱を容易ならしめたことを特徴とするボールマーカー着脱機能付きゴルフグッズ。
【考案の詳細な説明】
【技術分野】
【０００１】  本考案は、ボールマーカー着脱機能付きゴルフグッズに関し、詳しくは磁性体を埋設してボールマーカーの着脱を容易にしたボールマーカー着脱機能付きゴルフグッズ（以下、単に「ゴルフグッズ」、「ゴルフ用帽子」、「ゴルフ用手袋」または「ゴルフシューズ」とも言う）に関する。
【背景技術】
【０００２】  周知の通り、ゴルフ場で、芝生の上に停止したボールの位置を示すための目印として、当該ゴルフボールの代わりに置くためのボールマーカーと呼ばれるものがある。例えば、芝生の上からボールをピックアップする際にこのマーカーが用いられるわけであるが、プレー中は不使用の状態である。【０００３】  このようなボールマーカーは通常、金属から出来ているものも多い。そして、不使用の際は、図３に示すように、磁性体であるボールマーカー（Ｍ）用の（クリップ式の）台座（Ｂ）を帽子（Ｃ）に取り付け、該台座（Ｂ）の磁力によってボールマーカー（Ｍ）を着脱自在に取り付けるようにしていた（特許文献１）。
【特許文献１】実用新案登録第３１０１４５６号公報
【考案の開示】
【考案が解決しようとする課題】  しかしながら、上記したようなクリップ式の台座（Ｂ）を用いた場合、次のような問題があった。【０００４】（１）プレー中に、帽子の鍔（ツバ）から台座が外れ、使用者が気が付かないうちにボールマーカーを台座ごと落として紛失してしまうことがよくあった。
（２）台座を帽子の鍔に取り付けている関係上、ボールマーカーの着脱は、使用者の視野から外れたところでの作業になるので（手探りの状態での作業になるので）、着脱がスムーズに行うことが出来ない場合があり、もう少し容易に取り付けられる方法が望まれていた。
（３）帽子の鍔に台座が嵌め込まれている状態は外観上あまり格好のよいものではなく、この点も改善が望まれていた。【０００５】    ［考案の目的］
本考案は上記の実情に鑑みてなされたものであり、その目的は、プレー中に台座を落とし、これによるボールマーカーの紛失も防止し得、またボールマーカーの取り付けをもう少し容易にならしめ、かつ外観的にも良好なボールマーカー着脱機能付きゴルフグッズを提供するところにある。
【課題を解決するための手段】
【０００６】  請求項１に記載のボールマーカー着脱機能付きゴルフグッズは、ボールマーカーを自在に着脱することのできる機能を具備したゴルフ用帽子であって、つばの左右少なくともどちらか一方の縁部に板状の磁性体が埋設され、ゴルフで用いるボールマーカーの着脱を容易ならしめたことを特徴とする。【０００７】  請求項２に記載のボールマーカー着脱機能付きゴルフグッズは、ボールマーカーを自在に着脱することのできる機能を具備したゴルフ用手袋であって、生地中に板状の磁性体が埋設され、ゴルフのボールマーカーの着脱を容易ならしめたことを特徴とする。【０００８】請求項３に記載のボールマーカー着脱機能付きゴルフグッズは、ボールマーカーを自在に着脱することのできる機能を具備したゴルフシューズであって、生地中に板状の磁性体が埋設され、ゴルフのボールマーカーの着脱を容易ならしめたことを特徴とする。
【考案の効果】
【０００９】  請求項１に記載のゴルフ用帽子は、ツバの部分に磁性体が埋設されているので、プレー中に該磁性体を落としてしまうといった心配はなく、これによりボールマーカーを紛失してしまうといった心配もない。【００１０】  なお、本考案における「磁性体を埋設」するとは、例えば物品（帽子・手袋）を構成する生地を複数枚の生地によって構成し、１つの生地と、これと重なり合う他の生地との間に磁性体を挟み込んで前記物品を作製する方法や、磁性体を物品（帽子・手袋）の表面上に、当該磁性体が外側から目視困難となるように縫合する（縫い付ける）方法、あるいは物品（帽子・手袋）の表面上に磁性体を接合または縫合によって仮止めしておき、その上から磁性体に見合った大きさの布帛を貼り合わせて（被せて）外側から見えなくなるようにこの布帛を一体的に接着・縫着する方法などが挙げられるが、これによって限定されるものではない。【００１１】  また、前記磁性体が埋設されていることから、外からは認識されず、外見が悪くなるといったおそれもない。【００１２】  さらに、埋設した磁性体に対してボールマーカーを載せるだけでよいので、従来の台座（クリップ式）に比べて該マーカーの取り付けが極めて容易となる。【００１３】  請求項２に記載のゴルフ用手袋ならびに請求項３に記載のゴルフシューズも、請求項１に記載のゴルフ用帽子と同様、プレー中に磁性体を落としてしまうといった心配はなく（これによりボールマーカーも紛失する心配はなく）、また外見が悪くなるといったおそれもなく、さらにはボールマーカーの取り付けが極めて容易となる。
【考案を実施するための最良の形態】
【００１４】  本考案に用いる磁性体としては特に限定はなく、従来公知の磁石を用いることができる。例えば、なかでも強力な磁力を持つ希土類磁石（ネオジム磁石、サマコバ磁石）の使用が最適である。磁力が強いほど、ボールマーカーを磁性体に近づけるだけで該マーカーが前記磁性体に引きつけられ自動的に吸着される。ただ、帽子や手袋、シューズの使用感に支障がないよう、薄板状でかつ柔軟で（可撓性を持つ）強力な磁力を保有する磁性体を使用することが好ましい。
【実施例】
【００１５】  以下、本考案の一実施形態を図面に基づいて説明するが、本考案はこれによって限定されるものではない。【００１６】  図１は、本考案に係るゴルフ用帽子（１０）である。このゴルフ用帽子（１０）の鍔（１２）の右側の縁部には、板状四角形のネオジム磁石からなる強力磁性体（１４）が埋設されている。埋設の方法としては特に限定はないが、例えば２枚の生地の間に前記強力磁性体（１４）を挟み込み、のち該２枚の生地を縫合するといった方法や、強力磁性体（１４）をゴルフ用帽子（１０）の表面上に、当該強力磁性体（１４）が外から目視困難となるように縫合する方法や、あるいはゴルフ用帽子（１０）の表面上に強力磁性体（１４）を接合または縫合によって仮止めしておき、その上から強力磁性体（１４）に見合った大きさの布帛を貼り合わせて（かぶせて）外側から見えなくなるように接着・縫着する方法などが挙げられる。【００１７】  なお、本実施例では、磁性体（１４）を鍔（１２）の右側の縁部に埋設したが、これに限らず、左側の縁部でもよく、左右両側の縁部に埋設してもよく、あるいは左右両側および幅方向中央部における先端部（前方部）の縁部に埋設してもよく、さらにはゴルフ用帽子（１０）の鍔（１２）の縁部全域に埋設することもできる。【００１８】  図２は、本考案に係るゴルフ用手袋（２０）である。また図３は、本考案に係るゴルフシューズ（３０）である。このゴルフ用手袋（２０）甲に相当する部分、およびゴルフシューズ（３０）の甲からつま先に相当する部分には、板状四角形のネオジム磁石からなる強力磁性体（１４）が埋設されている。埋設の方法としては特に限定はないが、上記と同様、例えば２枚の生地の間に前記強力磁性体（１４）を挟み込み、のち該２枚の生地を縫合するといった方法などが挙げられる。なお、強力磁性体（１４）を埋設する箇所は図示した箇所に限定されず、ゴルフ用手袋（２０）における親指の付け根や、ゴルフシューズ（３０）の内側または外側のサイドに相当する箇所など、他の箇所でも構わない。【００１９】  上記構成のゴルフ用帽子（１０）あるいはゴルフ用手袋（２０）などのゴルフグッズを用いると、ボールマーカー（Ｍ）を取り付けるための（着脱するための）磁性体（１４）をプレー中に落としてしまうといった心配はなく（これによりボールマーカーも紛失する心配はなく）、また外見が悪くなるといったおそれもなく、さらにはボールマーカー（Ｍ）の取り付け（着脱）が極めて容易となる。
【図面の簡単な説明】
【００２０】
【図１】本考案のボールマーカー着脱機能付きゴルフグッズの一実施例であるゴルフ用帽子を示す斜視図である。
【図２】本考案のボールマーカー着脱機能付きゴルフグッズの他の実施例であるゴルフ用手袋を示す斜視図である。
【図３】本考案のボールマーカー着脱機能付きゴルフグッズの他の実施例であるゴルフ用シューズを示す斜視図である。
【図４】従来のボールマーカーの取り付け方法を示した斜視図である。
【符号の説明】
【００２１】１０……ゴルフ用帽子
１２……鍔（ツバ）
１４……強力磁性体
２０……ゴルフ用手袋
３０……ゴルフシューズ
Ｍ……ボールマーカー
【図１】
0003111834.tif 000003
【図２】
0003111834.tif 000004
【図３】
0003111834.tif 000005
【図４】
0003111834.tif 000006